(57)【特許請求の範囲】
【請求項１】
サイドホルダーを収納するための方形の収納凹陥部を有し、この収納凹陥部の底面の端縁から立設した長手方向の側壁には、上下で１組のスライド孔が左右に１対設けられ、このスライド孔の上方に切り欠きが設けられた本体と、
前記１組のスライド孔に嵌入され摺動自在の柱状凸起と、ロールの軸筒を保持する軸筒受け部とを有するサイドホルダーと、
本体上部にヒンジを介して係合するトレイと、から成ることを特徴とするペーパータオルホルダー。
【請求項２】
前記収納凹陥部の長手方向の側壁上に、前記切り欠きが複数個設けられ、前記収納凹陥部の底面には、この切り欠きに対応する部位に、それぞれ弾性を有する突出部が設けられていることを特徴とする請求項１に記載のペーパータオルホルダー。
【請求項３】
前記収納凹陥部の底面には、前記サイドホルダー収納時において前記軸筒受け部を嵌合保持する嵌合凸部が設けられたことを特徴とする請求項１または２のいずれかに記載のペーパータオルホルダー。
【請求項４】
前記スライド孔の略中央部には、前記サイドホルダーの柱状凸起がスライド孔に嵌入可能とするための２本の細溝で分断された弾性案内板が設けられたことを特徴とする請求項１〜３のいずれかに記載のペーパータオルホルダー。
【請求項５】
前記本体の底面にネジ孔を開孔すると共に、前記トレイの前記ネジ孔に対応する部位にもネジ孔を開孔したことを特徴とする請求項１〜４のいずれかに記載のペーパータオルホルダー。
【発明の詳細な説明】
【０００１】
【産業上の利用分野】
本発明は、壁面等に取り付けて、ロール状に巻かれた、調理器具等の汚れを拭き取るペーパータオル等を使い易い状態に保持させるホルダーに関し、詳しくはサイズの異なるロール状ペーパータオル等をも容易にセット可能なホルダーに関する。
【０００２】
【従来の技術】
従来、異なるサイズのロール紙を１つのホルダーにセットするには、例えば図４に示すように、あらかじめ本体（７０）に各サイズに見合ったスリット（７１、７２）を設けておき、該当するサイズのスリットに、サイドホルダー（８０）の先端部を嵌め込んで使用していた。
具体的には、大サイズのロール紙の場合は、第１スリット（７１）にサイドホルダー（８０）を嵌め込み、ロール紙を軸筒受け部（８１）にセットして使用し、小サイズのロール紙に換える場合には、サイドホルダー（８０）を第１スリット（７１）から抜き取り、改めて第２スリット（７２）に嵌め込んで、サイドホルダー間の距離を変えて使用していた。
【０００３】
このため、サイズを変更する際には、サイドホルダーを一旦スリットから抜き取り、改めて該当する別のスリットに嵌め込むという手間がかかっていた。
【０００４】
【発明が解決しようとする課題】
本発明は、異なるサイズのペーパータオルのようなロール紙を同一のホルダーにセットする際に生じる上記のような問題点を除去するためになされたもので、サイドホルダーを本体から取り外すことなく、単に移動させるのみで容易にサイズ変更を可能にした壁面等に取り付けるペーパータオルホルダーを提供することを目的とする。
【０００５】
【課題を解決するための手段】
本発明において上記目的を達成するために、まず第１の発明では、サイドホルダーを収納するための方形の収納凹陥部を有し、この収納凹陥部の底面の端縁から立設した長手方向の側壁には、上下で１組のスライド孔が左右に１対設けられ、このスライド孔の上方に切り欠きが設けられた本体と、前記１組のスライド孔に嵌入され摺動自在の柱状凸起と、ロールの軸筒を保持する軸筒受け部とを有するサイドホルダーと、本体上部にヒンジを介して係合するトレイと、から成ることを特徴とするペーパータオルホルダーを提供するものである。
【０００６】
また、第２の発明では、第１の発明において、前記収納凹陥部の長手方向の側壁上に、前記切り欠きが複数個設けられ、前記収納凹陥部の底面には、この切り欠きに対応する部位に、それぞれ弾性を有する突出部が設けられていることを特徴とするペーパータオルホルダーを提供するものである。
【０００７】
さらにまた、第３の発明では、第１および第２の発明において、前記収納凹陥部の底面には、前記サイドホルダー収納時において前記軸筒受け部を嵌合保持する嵌合凸部が設けられたことを特徴とするペーパータオルホルダーを提供するものである。
【０００８】
さらになお、第４の発明では、第１、第２および第３の発明において、前記スライド孔の略中央部には、前記サイドホルダーの柱状凸起がスライド孔に嵌入可能とするための２本の細溝で分断された弾性案内板が設けられたことを特徴とするペーパータオルホルダーを提供するものである。
【０００９】
さらになおまた、第５の発明では、第１、第２、第３および第４の発明において、前記本体の底面にネジ孔を開孔すると共に、前記トレイの前記ネジ孔に対応する部位にもネジ孔を開孔したことを特徴とするペーパータオルホルダーを提供するものである。
【００１０】
【作用】
上記のように本発明によれば、収納凹陥部の側壁に１組のスライド孔を左右に１対設け、さらにこのスライド孔の上方に切り欠きを設けたので、サイドホルダーの柱状凸起を、この１組のスライド孔に嵌入でき、サイドホルダーは摺動自在に移動できる。
また、本体上部には、ヒンジを介してトレイが係合しているので、トレイは回動自在に回転できる。
【００１１】
さらに、収納凹陥部の底面には、柱状凸起を支軸としてサイドホルダーを収納凹陥部からわずかに回動して起こし、左右に摺動させた際、感触（クリック感）で一定位置を知らせる弾性を有する突出部を設けたので、サイドホルダーを一定位置で停止することができる。
【００１２】
また、収納凹陥部の底面には、サイドホルダーの軸筒受け部を嵌合保持する嵌合凸部を設けたので、サイドホルダーを本体の収納凹陥部に収納した際は、サイドホルダーは固定され、きっちりと収納できる。
【００１３】
スライド孔の略中央部には、２本の細溝で分断された弾性案内板を設けたので、サイドホルダーを本体の収納凹陥部に嵌め込む際、容易に嵌め込むことが可能で、また、逆にこの弾性案内板がストッパーの役割を果たすので、容易には取り外すことができない。
【００１４】
本体の底面にネジ孔を開孔すると共に、トレイのネジ孔に対応する部位にもネジ孔を開孔したので、トレイを本体に重ねたままでも、このペーパータオルホルダーを壁面等に取り付けることが可能となる。
【００１５】
【実施例】
以下実施例により本発明を詳細に説明する。
本発明のペーパータオルホルダーは、例えば図１（ａ）、（ｂ）に示すように、方形の収納凹陥部（１１）を有する本体（１０）と、収納凹陥部（１１）の側壁（１３）に設けられた上下１組のスライド孔（１４、１５）に嵌入され、収納凹陥部（１１）に収納されたサイドホルダー（３０）と、本体上部とヒンジ（５１）を介して係合するトレイ（５０）と、から成り、いずれもＡＢＳ樹脂等の合成樹脂素材を用いて、射出成形法により作製する。
【００１６】
本体（１０）は、方形の収納凹陥部（１１）を有し、この収納凹陥部（１１）の底面（１２）の各端縁から立設した長手方向の両側壁（１３、１３）の両端近傍には、底面（１２）と平行に上下１組のスライド孔（１４、１５）が左右対称に設けられ、後述するサイドホルダー（３０）の柱状凸起（３１）を嵌合し、保持するため、これらの１対のスライド孔の端縁寄りの端の上方には端縁寄り切り欠き（１６ｂ）を、また、中央寄りの端の上方には中央寄り切り欠き（１６ａ）をそれぞれ設ける。
【００１７】
スライド孔の長さおよびスライド孔の端縁寄りの上方に設ける切り欠きの位置は、使用するロール状ペーパータオルの軸筒の長さによって可変し、本実施例の場合、大サイズのロール状ペーパータオルを使用する際は、サイドホルダーの柱状凸起（３１）を端縁寄り切り欠き（１６ｂ）に合わせると大サイズのロール状ペーパータオルがセットでき、小サイズのロール状ペーパータオルを使用する際は、サイドホルダーの柱状凸起（３１）を中央寄り切り欠き（１６ａ）に合わせると小サイズのロール状ペーパータオルがセットできる。
【００１８】
なお、本実施例のようにロール状ペーパータオルは、２種類のサイズ変更に限定されるものではなく、切り欠きの数を増やすことで３種類以上のサイズのロール状ペーパータオルを１つのペーパータオルホルダーにセットすることが可能となる。
【００１９】
収納凹陥部（１１）の底面（１２）には、サイドホルダー（３０）を収納凹陥部（１１）から柱状凸起（３１）を支軸として９０°回動させて立ち上げ、サイドホルダー（３０）を収納凹陥部（１１）から左右に摺動させた際、感触（クリック感）で一定位置を知らせる弾性を有する突出部（１７）を設ける。
【００２０】
収納凹陥部（１１）の底面（１２）には、サイドホルダー（３０）を収納凹陥部（１１）に収納する際、サイドホルダー（３０）の腕部に形成されている、ロール状のペーパータオル（６０）が巻かれている軸筒（図示せず）を嵌め込む軸筒受け部（３２）を嵌合し保持するための、軸筒受け部（３２）より僅かに小径の嵌合凸部（１８）を設ける。
【００２１】
側壁（１３）に設けた上下１組のスライド孔（１４、１５）の略中央部には、サイドホルダーの柱状凸起（３１）がこの１組のスライド孔（１４、１５）に嵌入可能にするため、２本の細溝で分断した弾性案内板（１９）を設ける。
【００２２】
本体（１０）の表面で、ヒンジ（５１）を設けた側の端縁には、本体から垂直に突出させたストッパー（２１）を設ける。
このストッパー（２１）は、後述のヒンジ（５１）を支軸としてトレイ（５０）を回動させた際、本体に対して９０°の位置で停止させる役割を果たす。
【００２３】
本体（１０）の上部とヒンジ（５１）を介して係合しているトレイ（５０）は、予備のロール状ペーパータオルや小物等を載せるためのもので、トレイ（５０）の端縁には一段高い周縁部（５３）を設け、トレイ（５０）に載せたロール状ペーパータオルや小物等がトレイから落下しないよう防止している。
【００２４】
このトレイ（５０）は、使用前は本体（１０）の裏面と重ねられた状態で保管され、使用時には、本体上部のヒンジ（５１）を支軸にして２７０°回動させて、本体に設けたストッパー（２１）が働き、本体に対して９０°の状態で停止し、一段高い周縁部（５３）が上面となって、かつ、水平になるよう設計してある。
【００２５】
本体の底面（１２）には、このペーパータオルホルダーを壁面等に取り付けるためのネジ孔（２０）を設けておく。
トレイ（５０）の、畳んだ際、底面（１２）に設けたネジ孔（２０）と重なる部位に、ネジ孔（５２）を設けておくと、ペーパータオルホルダーをトレイ（５０）を用いず本体だけで使用する場合に、トレイ（５０）を本体（１０）から取り外さずに壁面等に取り付けることができる。
また、本ペーパータオルホルダーは、ペーパータオルに限定されるものではなく、例えばロール状に巻かれた食品を包装するアルミニウム箔やラップフィルム等を使いやすい状態に保持させるホルダーとして用いても構わない。
【００２６】
このペーパータオルホルダーの使用にあたっては、つぎのようにする。
すなわち、使用前は、サイドホルダーの柱状凸起（３１）が本体のスライド孔（１４、１５）に嵌入され、中央寄り切り欠き（１６ａ）に嵌め込まれ、また、サイドホルダーの腕部に設けられた軸筒受け部（３２）は、本体の底部（１２）に設けられた嵌合凸部（１８）に嵌められて固定され、サイドホルダー（３０）は、本体の収納凹陥部（１１）に収納されている。
また、トレイ（５０）は、本体上部のヒンジ（５１）に嵌合係止されて本体（１０）の裏面と、トレイ（５０）の表面が向き合う状態で折り畳まれている。
従って、ペーパータオルホルダーは薄くコンパクトな状態で容器等に収納が可能である。
【００２７】
まず、トレイ（５０）をヒンジ（５１）を支軸として２７０°回動させると、ストッパー（２１）の働きで本体（１０）に対して９０°の位置で停止する。
ネジ孔（２０）からネジ等を用いて壁面等に取り付ける。
あるいは、ネジ等を用いず本体の裏面に両面粘着テープ等を貼り、壁面等と接着させても良い。
また、トレイ（５０）を使用しない場合には、トレイ（５０）を閉じて本体（１０）の下に挟んだ状態で壁面等にネジ孔（２０、５２）を重ねてネジ等を用いて取り付けることも可能である。勿論ネジ等を用いず両面粘着テープ等で壁面等と接着させても良い。
【００２８】
左右両方のサイドホルダーの軸筒受け部（３２）を嵌合凸部（１８）から外して、サイドホルダー（３０）を収納凹陥部（１１）から立ち上げる。
この場合サイドホルダー（３０）は、中央寄り切り欠き（１６ａ）にセットしてあるので、小サイズのロール状ペーパータオルを向き合った軸筒受け部（３２）に入れて、ロール状ペーパータオルのセットが終了する。
【００２９】
大サイズのロール状ペーパータオルにサイズを変更するには、サイドホルダー（３０）を若干内側に倒して、柱状凸起（３１）を中央寄り切り欠き（１６ａ）から外し、スライド孔（１４、１５）中を摺動させて、柱状凸起（３１）を端縁寄り切り欠き（１６ｂ）にセットすると同時にサイドホルダー（３０）を起こせば、サイズの変更は完了する。
【００３０】
【発明の効果】
上記のように本発明によれば、収納凹陥部の側壁に１組のスライド孔を設けたので、サイドホルダーは摺動自在にスライド孔間を移動でき、サイドホルダーを取り外したりすることなくサイズの異なるロール状ペーパーをペーパータオルホルダーにセットできる。
また、本体上部にはヒンジを介してトレイが係合しているので、トレイの上に予備のロール状ペーパーや小物類等を載せることができ重宝である。
トレイは回動自在なヒンジで係合しているので、必要としない場合は本体の裏側に折り畳んでおくことができ、コンパクトである。
【図面の簡単な説明】
【図１】（ａ）本発明の一実施例で、ペーパータオルをセットした状態を正面から示す斜視説明図である。
（ｂ）同上の裏面から示す要部斜視説明図である。
【図２】本発明の同実施例のサイドホルダーの斜視図である。
【図３】同実施例のサイドホルダーを収納凹陥部から立ち上げる状態を示す説明図である。
【図４】従来例を示す説明図である。
【符号の説明】
１０‥‥本体
１１‥‥収納凹陥部
１２‥‥底面
１３‥‥側壁
１４‥‥スライド孔
１５‥‥スライド孔
１６ａ‥中央寄り切り欠き
１６ｂ‥端縁寄り切り欠き
１７‥‥弾性を有する突出部
１８‥‥嵌合凸部
１９‥‥弾性案内板
２０‥‥ネジ孔
２１‥‥ストッパー
３０‥‥サイドホルダー
３１‥‥柱状凸起
３２‥‥軸筒受け部
５０‥‥トレイ
５１‥‥ヒンジ
５２‥‥ネジ孔
５３‥‥周縁部
６０‥‥ペーパータオル
７０‥‥本体
７１‥‥第１スリット
７２‥‥第２スリット
８０‥‥サイドホルダー
８１‥‥軸筒受け部
【図１】
0003622242.tif 000002
【図２】
0003622242.tif 000003
【図３】
0003622242.tif 000004
【図４】
0003622242.tif 000005